(57)【要約】【課題】カラーファクシミリ通信を、容易に実行することができるファクシミリ装置を提供することである。【解決手段】画像データを作成し（Ｓ１１）、画像データに対して識別処理（Ｓ１２）を行う。そして、通信開始信号を送出する（Ｓ１３）。指定現像部での現像を要求する場合は（Ｓ１４；Ｙ）、所定の定義した内容を通知し（Ｓ１５）、指定要求がない場合は（Ｓ１４；Ｎ）、Ｓ１７の処理へ進む。次に、画像データを送信する前にＴＣＦ処理を行い（Ｓ１６）、その後、画像データを送信する（Ｓ１７）。画像データを送信後、ＥＯＰ信号を送信する（Ｓ１８）。そして、ＤＣＮ信号を送信した後、ファクシミリ通信を終了し（Ｓ１９）、処理を終了する。【選択図】　図２
2004072192.tif 000002
【特許請求の範囲】
【請求項１】
通信回線を介して、画像データの送受信が可能なファクシミリ装置において、
送信する原稿画像を読み取り、読み取った原稿画像を複数の色ページ情報ごとに識別する識別手段と、
画像データを受信する受信側ファクシミリ装置から送信される前記受信側ファクシミリ装置の有する現像色情報を通信回線を介して受信する受信手段と、
前記受信手段により受信した現像色情報と、前記識別手段で識別された各色ページ情報との対応付をする対応付け手段と、
前記対応付け手段により対応付けされた原稿画像の色ページ情報ごとに、原稿画像の画像データを通信回線を介して送信する送信手段と、
を備えたことを特徴とするファクシミリ装置。
【請求項２】
通信回線を介して、画像データの送受信が可能なファクシミリ装置において、
当該ファクシミリ装置の有する現像色情報を画像データの送信元である送信側ファクシミリ装置に通信回線を介して通知する通知手段を備えたことを特徴とするファクシミリ装置。
【請求項３】
受信した画像データを現像する際に使用する現像色の指定指示情報を受け付ける現像色受付手段を備えたことを特徴とする請求項２記載のファクシミリ装置。
【請求項４】
前記識別手段で識別された各色ページ情報は、シアン、マゼンダ、イエロー、ブラックの４色で構成されていることを特徴とする請求項１記載のファクシミリ装置。
【請求項５】
当該ファクシミリ装置の有する現像色情報は、シアン、マゼンダ、イエロー、ブラックの４色で構成されていることを特徴とする請求項２または請求項３記載のファクシミリ装置。
【請求項６】
前記識別手段で識別する色ページ情報の指定指示を受け付ける各色ページ情報受付手段を備えたことを特徴とする請求項１または請求項４記載のファクシミリ装置。
【請求項７】
カラー画像データ通信と、白黒画像データ通信とを切り替える手段を備えたことを特徴とする請求項１、請求項４または請求項６記載のファクシミリ装置。
【発明の詳細な説明】
【０００１】
【発明の属する技術分野】
本発明は、文字や画像を静止画として伝送するファクシミリ装置に係り、特に、カラー画像を送受信することが可能なファクシミリ装置に関する。
【０００２】
【従来の技術】
ファクシミリ装置は、任意の文字や図形をそのまま相手の端末装置に伝達することが可能な極めて有効な記録通信手段として幅広く普及している。
また、近年の画像形成に関連する技術の発達に伴い、ファクシミリ装置の現像方法においても様々な技術が提案されている。
例えば、特開平５−２２６１７号公報には、送信する原稿画像中の赤色および黒色を識別する情報が埋め込まれた画像情報を作成する技術が提案されている。これは、２色画像を１ページとして送る方式であり、１ページの中に赤と黒を識別する情報を埋め込んだ画情報を作成し送るものである。
【０００３】
また、特許第２８２４９９０号公報には、ファクシミリ装置において、赤色と黒色の２色を用いて画像を形成する技術が提案されている。この画像形成技術についてファクシミリ装置Ａ、Ｂ（以下、装置Ａ、Ｂとする）間で画像データの送受信を行う場合を例に簡単に説明する。
まず、装置Ａから白黒の画像データを装置Ｂへ送信する。ここで、装置Ａに内蔵されているメモリに、送信した白黒の画像データを格納する。
次に、装置Ｂは、白黒の画像データを受信し、この白黒の画像に、赤色を用いて追記処理を行い、追記後の画像データを装置Ａへ返信する。このとき、装置Ｂは、追記部分（赤色）の画像データのみを装置Ａへ送る。
そして、装置Ａは、受信した追記部分の画像データと、メモリに格納されている白黒の画像データとを合成して２色印刷を施す。このようにして、赤色と黒色の２色を用いて画像を形成する。
【０００４】
【発明が解決しようとする課題】
しかしながら、特開平５−２２６１７号公報で提案されている画像形成技術を用いる場合には、送受信側双方のファクシミリ装置に、赤色および黒色情報を識別しながらデータの圧縮伸長処理を実行する機能を搭載する必要があり、ファクシミリ装置の構造が複雑なものになってしまっていた。
また、特許第２８２４９９０号公報で提案されている画像形成技術を用いる場合には、２色画像を得るために２度に渡ってデータ通信を行う必要があり、効率の悪い作業となってしまっていた。さらに、２色画像送信の可能な画像は、装置Ｂが受信した画像に限られており、Ｂ装置から任意の２色画像を送信することができないため、利便性に欠けるものであった。
そこで、本発明の目的は、画像データの受信側ファクシミリ装置が有している現像色の範囲内で画像形成が可能なカラーファクシミリ通信を、容易に実行することができるファクシミリ装置を提供することである。
【０００５】
【課題を解決するための手段】
請求項１記載の発明では、通信回線を介して、画像データの送受信が可能なファクシミリ装置において、送信する原稿画像を読み取り、読み取った原稿画像を複数の色ページ情報ごとに識別する識別手段と、画像データを受信する受信側ファクシミリ装置から送信される前記受信側ファクシミリ装置の有する現像色情報を通信回線を介して受信する受信手段と、前記受信手段により受信した現像色情報と、前記識別手段で識別された各色ページ情報との対応付をする対応付け手段と、前記対応付け手段により対応付けされた原稿画像の色ページ情報ごとに、原稿画像の画像データを通信回線を介して送信する送信手段と、を備えることにより前記目的を達成する。
【０００６】
請求項２記載の発明では、通信回線を介して、画像データの送受信が可能なファクシミリ装置において、当該ファクシミリ装置の有する現像色情報を画像データの送信元である送信側ファクシミリ装置に通信回線を介して通知する通知手段を備えることにより前記目的を達成する。
請求項３記載の発明では、請求項２記載の発明において、受信した画像データを現像する際に使用する現像色の指定指示情報を受け付ける現像色受付手段を備えることにより前記目的を達成する。
請求項４記載の発明では、請求項１記載の発明において、前記識別手段で識別された各色ページ情報を、シアン、マゼンダ、イエロー、ブラックの４色で構成することにより前記目的を達成する。
【０００７】
請求項５記載の発明では、請求項２または請求項３記載の発明において、当該ファクシミリ装置の有する現像色情報を、シアン、マゼンダ、イエロー、ブラックの４色で構成することにより前記目的を達成する。
請求項６記載の発明では、請求項１または請求項４記載の発明において、前記識別手段で識別する色ページ情報の指定指示を受け付ける各色ページ情報受付手段を備えることにより前記目的を達成する。
請求項７記載の発明では、請求項１、請求項４または請求項６記載の発明において、カラー画像データ通信と、白黒画像データ通信とを切り替える手段を備えることにより前記目的を達成する。
【０００８】
【発明の実施の形態】
以下、本発明における好適な実施の形態について、図１から図４を参照して詳細に説明する。
図１は、本実施の形態に係るカラーファクシミリ装置の概要構成を示したブロック図である。
本実施の形態に係るカラーファクシミリ装置では、送信機側および受信機側の双方共に以下に説明するような構成をとる。また、本実施の形態では、１枚の原稿を４色通信する場合を例にあげて説明する。
図１に示すように、カラーファクシミリ装置は、ＣＰＵ（中央演算処理装置）１、ＲＯＭ（リード・オンリ・メモリ）２、ＲＡＭ（ランダム・アクセス・メモリ）３、操作部４、画像記憶部５、読み取り部６、第１現像部（シアン）７、第２現像部（マゼンダ）８、第３現像部（イエロー）９、第４現像部（ブラック）１０およびファクシミリ制御部１１からなり、各々がバスラインを介して接続されている。
【０００９】
ＣＰＵ１は、ＲＯＭ２などに格納されているプログラムに従って、各種処理を行う演算処理装置である。詳しくは、レジスタと呼ばれる記憶部にＲＯＭ２やＲＡＭ３などからプログラムを読み込み、このプログラムに従って動作することにより各種機能を発揮させることができる。
ＲＯＭ２は、ＣＰＵ１が各種演算や制御を行うための各種プログラム、データおよびパラメータなどを格納したメモリである。ＣＰＵ１は、ＲＯＭ２からプログラムやデータ、パラメータなどを読み込むことはできるが、これらを書き換えたり消去したりすることは一般に行わない。
ＲＡＭ３は、ＣＰＵ１にワーキングメモリとして使用されるメモリである。ＣＰＵ１は、ＲＡＭ３にプログラムやデータなどを書き込んだり消去したりすることができる。
【００１０】
操作部４は、番号入力キーおよびファンクションキー等で構成され、利用者がこれらのキーを使ってデータ入力を行うようになっている。さらに、操作部４には、ＬＣＤ（液晶ディスプレイ）およびランプなどで構成される表示装置が備えられており、ファクシミリ装置の各種情報を表示することができる。また、この表示装置に、感圧式または静電式のタッチパネルを搭載することで、直接表示画面上で文字入力やメニュー選択などが可能になる。
画像記憶部５は、読み取り部６で読み取られた原稿画像の情報を各色情報別に格納する。なお、画像記憶部５には格納する色別に、第１色画像部５１、第２色画像部５２、第３色画像部５３、第４色画像部５４が備えられている。
【００１１】
読み取り部６は、ＣＣＤ（電荷結合素子）または密着センサを利用したスキャナ装置、Ａ／Ｄ（アナログ／デジタル）変換部および画像処理部などで構成され、原稿の画像を所定の解像度で読み取り、この画像データを作成する。さらに、読み取り部６は、作成した画像データから画素ごとのＲＧＢ（赤・緑・青）成分を２５６分解能で抽出するＲＧＢ分解部６１、色情報を識別する色識別部６２、各色情報の２値化処理を行う２値化部６３が備えられている。
第１現像部（シアン）７、第２現像部（マゼンダ）８、第３現像部（イエロー）９、第４現像部（ブラック）１０では、受信した画像データに基づいて各色の現像処理を行う。
ファクシミリ制御部１１には、送信時の画像データの圧縮、および受信時の画像データの伸長を行う圧縮伸長部１１１、送信用の画像データをアナログデータに変換するＳモデム部１１２、電話回線の接続および切断を制御するＮＣＵ（網制御装置）部１１３が備えられている。
【００１２】
次に、このように構成されたカラーファクシミリ装置における動作について説明する。ここでは、電話回線を接続してファクシミリ通信処理を開始し、そして、電話回線を開放してファクシミリ通信処理を終了するまでの一連の処理手順を、画像データを送信する発呼側および画像データを受信する着呼側の双方から説明する。
図２は、発呼側および着呼側のファクシミリ装置におけるファクシミリ通信処理の手順を示したフローチャートである。
はじめに、利用者は、発呼側のファクシミリ装置（以下、発呼装置とする）の原稿台に原稿をセットし、操作部４よりファクシミリ送信の宛先を入力しスタートキー押下する。この操作は、図４（ａ）に示すような表示画面上で行うことができる。
セットされた原稿は、読み取り部６に備えられているスキャナ装置により読み取られ、読み取り部６は、この読み取ったデータから画像データを作成する（ステップ１１）。
【００１３】
そして、読み取り部６は、ＲＧＢ分解部６１において画素ごとのＲＧＢ成分を、作成した画像データから抽出し、さらに、色識別部６２において、抽出されたＲＧＢ成分に基づいて色情報を識別する。
ここで、色識別部６２で実行される青、赤、緑、黒の各色の識別条件について説明する。なお、ＲＧＢ分解部６１で抽出された各色の成分値をそれぞれ赤値、緑値、青値と表現する。
色情報の識別は、この各色の成分値と、色識別部６２に予め設定されている各色専用のＲＧＢしきい値（赤しきい値、緑しきい値、青しきい値）とを比較して行う。
【００１４】
（１）青識別条件
赤値＜赤用青しきい値、かつ、
緑値＜緑用青しきい値、かつ、
青値＜青用青しきい値の場合、この画素を青と識別する。
（２）赤識別条件
赤値＞赤用赤しきい値、かつ、
緑値＜緑用赤しきい値、かつ、
青値＜青用赤しきい値の場合、この画素を赤と識別する。
（３）緑識別条件
赤値＜赤用緑しきい値、かつ、
緑値＜緑用緑しきい値、かつ、
青値＜青用緑しきい値の場合、この画素を緑と識別する。
（４）黒識別条件
赤値＜赤用黒しきい値、かつ、
緑値＜緑用黒しきい値、かつ、
青値＜青用黒しきい値の場合、この画素を黒と識別する。
【００１５】
このように、色識別部６２において原稿内の全画素に対して識別処理を行い（ステップ１２）、原稿内の青部分を青画像として第１色画像部５１に格納する。同様に、原稿内の赤部分を赤画像として第２色画像部５２に、緑部分を緑画像として第３色画像部５３に、黒部分を黒画像として第４色画像部５４に格納する。次に、ファクシミリ制御部１１は、利用者の入力した宛先へＮＣＵ部１１３から発呼し網接続する（ステップ１３）。
【００１６】
発呼装置から送信する情報の宛先であるファクシミリ装置（以下、着呼装置とする）は、着呼した後、ＣＥＤ（通信開始）信号を発呼装置へ送出する。そして、着呼装置における複数色受信が可能な場合（ステップ３１；Ｙ）、ＮＳＦ（Ｓ）（着呼装置から送信する通信データを示す）にて着呼装置の機能を宣言する（ステップ３２）。例えば、ＮＳＦ（Ｓ）内のＢｉｔ８７を１にする。そして、ＮＳＦ（Ｓ）の複数色受信可能であることを示す情報を有効にする。
また、着呼装置における複数色受信が不可能な場合（ステップ３１；Ｎ）、ファクシミリ通信処理を中止し、処理を終了する。
【００１７】
着呼装置における現像部の数と、色情報を通知する場合は、次のように定義した内容を通知する。ここでは、通知内容をビット列データで示している。
（ｉ）第１現像部情報
ＮＳＦ（Ｓ）：Ｂｉｔ９０：１＝第１現像部有り
Ｂｉｔ９１−９４：第１現像部の色（１６通りの色を指定することが可能である。ここでは、１＝青、２＝赤、３＝緑、４＝黒とする。）
（ｉｉ）第２現像部情報
ＮＳＦ（Ｓ）：Ｂｉｔ１００：１＝第２現像部有り
Ｂｉｔ１０１−１０４：第２現像部の色（１６通りの色を指定することが可能である。ここでは、１＝青、２＝赤、３＝緑、４＝黒とする。）
（ｉｉｉ）第３現像部情報
ＮＳＦ（Ｓ）：Ｂｉｔ１１０：１＝第３現像部有り
Ｂｉｔ１１１−１１４：第３現像部の色（１６通りの色を指定することが可能である。ここでは、１＝青、２＝赤、３＝緑、４＝黒とする。）
（ｉｖ）第４現像部情報
ＮＳＦ（Ｓ）：Ｂｉｔ１２０：１＝第４現像部有り
Ｂｉｔ１２１−１２４：第４現像部の色（１６通りの色を指定することが可能である。ここでは、１＝青、２＝赤、３＝緑、４＝黒とする。）
【００１８】
発呼装置は、着呼装置からのこれらの通知を受信し、ＮＳＦ（Ｓ）を解析する。そして、着呼装置が複数色受信可能なファクシミリ装置である場合には、ＮＳＳ（Ｓ）（発呼装置から送信する通信データを示す）の複数色送信であることを示す情報を有効にし（例えば、ＮＳＳ（Ｓ）内のＦＩＦのＢｉｔ８７を１にする）、これから送信する画像データに、複数色の色情報が含まれていることを通知する。
また、発呼装置が送信する画像データのうち、指定したページを着呼装置の指定現像部で現像するように要求する場合は（ステップ１４；Ｙ）、次のように定義した情報ページ内容を通知する（ステップ１５）。なお、ここで示すページとは、色（シアン、マゼンダ、イエロー、ブラックなど）ページのことを示す。
【００１９】
（ａ）第１ページ情報
ＮＳＳ（Ｓ）：Ｂｉｔ９０：１＝第１ページの現像色指定有り
Ｂｉｔ９１−９４：第１ページの現像色（受信側がもっている現像色数分を指定することが可能である。ここでは、１＝シアン、２＝マゼンダ、３＝イエロー、４＝ブラックとする。）
（ｂ）第２ページ情報
ＮＳＳ（Ｓ）：Ｂｉｔ１００：１＝第２ページの現像色指定有り
Ｂｉｔ１０１−１０４：第２ページの現像色（受信側がもっている現像色数分を指定することが可能である。ここでは、１＝シアン、２＝マゼンダ、３＝イエロー、４＝ブラックとする。）
（ｃ）第３ページ情報
ＮＳＳ（Ｓ）：Ｂｉｔ１１０：１＝第３ページの現像色指定有り
Ｂｉｔ１１１−１１４：第３ページの現像色（受信側がもっている現像色数分を指定することが可能である。ここでは、１＝シアン、２＝マゼンダ、３＝イエロー、４＝ブラックとする。）
（ｄ）第４ページ情報
ＮＳＳ（Ｓ）：Ｂｉｔ１２０：１＝第４ページの現像色指定有り
Ｂｉｔ１２１−１２４：第４ページの現像色（受信側がもっている現像色数分を指定することが可能である。ここでは、１＝シアン、２＝マゼンダ、３＝イエロー、４＝ブラックとする。）
【００２０】
一方、ページの指定がない場合（ステップ１４；Ｎ）、そのままステップ１６の処理へ進む。
そして、これらの通知を受信した着呼装置は、この通知を基に現像色の設定を行う（ステップ３３）。
発呼装置および着呼装置において、画像データを送信する前にＴＣＦ（事前トレーニング）と呼ばれる処理を行う（ステップ１６、３４）。このＴＣＦとは、発呼装置から着呼装置へ０データを１．５秒間送信し、着呼装置において受信した０データの情報を基に回線の状態を判断する処理のことである。具体的には、着呼装置において受信した０データの情報のうち、回線傷害などにより１データに変化してしまう比率を基準値と比較し、基準値以下であれば回線の状態は良好であると判断する。
【００２１】
次に、発呼装置から画像データを送信する方法について説明する。
まず、発呼装置は、第１色画像部５１に格納されている青画像データを着呼装置に送信する。この青画像データを送信する方法は、通常ファクシミリ装置で実行される白黒画像データを送信する手順と同様に行われる。具体的には、第１色画像部５１より画像データを１ライン分ずつ順に読み出し、読み出した画像データを圧縮伸長部１１１で圧縮する。そして、圧縮後の画像データをモデム部１１２、ＮＣＵ部１１３を経由して公衆回線へ送信する。このようにして、発呼装置から青画像データを着呼装置へ送信する（ステップ１７）。
一方、着呼装置は、発呼装置から送信された青画像データをＮＣＵ部１１３、モデム部１１２を経由して受信し（ステップ３５）、１ライン分ずつ圧縮伸長部１１１で伸長（復調）した後、第１色画像部５１に格納する。
【００２２】
次に、発呼装置は、第２色画像部５２に格納されている赤画像データを着呼装置に送信する。はじめに、発呼装置はＭＰＳ（確認）信号を着呼装置へ送信する。
一方の着呼装置は、発呼装置から送信されたＭＰＳ信号を受信した後、ＭＣＦ（応答）信号を発呼装置へ送信する。
そして、発呼装置は、着呼装置から送信されたＭＣＦ信号を受信すると、２ページ目の画像データとして赤画像データを、青画像データと同様に着呼装置へ送信する。
【００２３】
次に、発呼装置は、第３色画像部５３に格納されている緑画像データを赤画像データと同様の方法で着呼装置に送信する。
緑画像データを送信後、発呼装置は、第４色画像部５４に格納されている黒画像データを赤画像データおよび緑画像データと同様の方法で着呼装置に送信する。
黒画像データを送信後、発呼装置はＥＯＰ（ページ終了）信号を着呼装置に送信する（ステップ１８）。
着呼装置は、このＥＯＰ信号を受信すると、ＭＣＦ信号を発呼装置へ送信する。そして、発呼装置は、着呼装置から送信されたＭＣＦ信号を受信すると、着呼装置へＤＣＮ（通信終了）信号を送信する。着呼装置は、ＤＣＮ信号を受信し（ステップ３６）、その後、両装置におけるカラーファクシミリ通信処理を終了する（ステップ１９、３７）。
最後に、着呼装置において、後述する画像の現像処理を実行し（ステップ３８）、全ての処理を終了する。
【００２４】
次に、画像データを受信した着呼装置における４色画像の出力処理方法について図３を参照して説明する。
図３は、本実施の形態に係るカラーファクシミリ装置の機械構成を示した図である。
まず、カラーファクシミリ装置は、給紙・搬送系４５内のカセットから給紙した用紙をレジストセンサ４０で検知する。レジストセンサ４０で用紙が検知されると、検知された用紙は一旦停止させられるようになっている。
次に、カラーファクシミリ装置は、第１色画像部５１より画像を読み出し、その後書き込み系４４より青画像の潜像画像をドラム周り系４１内のドラム上に形成する。そして、シアントナー現像部４６にて潜像画像にトナーを付着させ、転写系４２内の転写ベルトにドラム上の潜像画像を転写させることでシアン画像を転写ベルト上に作像する。
【００２５】
次に、上述した青画像と同様に、第２色画像部５２より画像を読み出し、転写系４２内の転写ベルトにドラム上の潜像画像を転写させることでマゼンダ画像を転写ベルト上に作像する。
マゼンダ画像を転写ベルト上に形成した後、青画像および赤画像と同様に、第３色画像部５３より画像を読み出し、転写系４２内の転写ベルトにドラム上の潜像画像を転写させることでイエロー画像を転写ベルト上に作像する。
イエロー画像を転写ベルト上に形成した後、青画像、赤画像および緑画像と同様に、第４色画像部５４より画像を読み出し、転写系４２内の転写ベルトにドラム上の潜像画像を転写させることでブラック画像を転写ベルト上に作像する。
このようにして、ＣＭＹＫ（シアン・マゼンダ・イエロー・ブラック）画像を転写ベルト上に作像することができる。
【００２６】
そして、停止させていた用紙を、転写系４２内の転写ベルト上の可視像の先頭と用紙の先頭が一致するタイミングで給紙を再スタートさせ、転写ベルト上のカラー画像を用紙に載せかえ定着ユニット４３でトナーを用紙に圧着させて排紙することで４色画像を形成することができる。
【００２７】
本実施の形態において、図４（ｂ）、図４（ｃ）に示すような複数色送信専用オペレーション画面を用意することにより、容易に複数色を含む画像データのファクシミリ通信処理が実行できるようにしてもよい。
また、図４（ｄ）に示すような色を選択できるオペレーション画面を用意し、任意の色を選択することができるようにしてもよい。例えば、利用者が、青と緑と黄色と赤をこの画面から選択した場合、青を第１ページの色、緑を第２ページの色、黄色を第３ページの色、赤を第４ページの色と認識する。そして、読み取り部６における読み取り処理終了後、画像データから抽出された青を第１色画像部５１へ、緑を第２色画像部５２へ、黄色を第３色画像部５３へ、赤を第４色画像部５４へ格納する。
さらに、色指定を行わないようにすることも可能である。これは、図４（ｄ）に示すような画面上で、「指定なし」の項目を選択することにより実行できる。
【００２８】
【発明の効果】
請求項１記載の発明によれば、１枚の紙に複数ページ中の任意のページを任意の現像色で現像することにより、受信側ファクシミリ装置が有する現像色分だけのカラーファクシミリ通信が容易に実現できるファクシミリ装置を提供することができる。
請求項２記載の発明によれば、受信側ファクシミリ装置において、現像色情報を送信側ファクシミリ装置に通知する手段を備えることより、送信側ファクシミリ装置が受信側ファクシミリ装置の現像能力を把握することができるファクシミリ装置を提供することができる。
請求項３記載の発明によれば、現像色情報を指定することにより、指定された色で作像することができるファクシミリ装置を提供することができる。
【００２９】
請求項４および請求項５記載の発明によれば、送信する複数ページの色をシアン、マゼンダ、イエロー、黒の４ページとし、受信側ファクシミリ装置における現像処理をシアン、マゼンダ、イエロー、ブラックで作像することにより、フルカラー出力ができるファクシミリ装置を提供することができる。
請求項６記載の発明によれば、任意の色を指定して原稿画像を読み取ることにより、任意の原稿色だけの画像データを送ることができるファクシミリ装置を提供することができる。
請求項７記載の発明によれば、複数色送信と単色送信とを切り替える手段を備えることにより、カラー送信と白黒送信を選択することができるファクシミリ装置を提供することができる。
【図面の簡単な説明】
【図１】本実施の形態に係るカラーファクシミリ装置の概要構成を示したブロック図である。
【図２】発呼側および着呼側のファクシミリ装置におけるファクシミリ通信処理の手順を示したフローチャートである。
【図３】本実施の形態に係るカラーファクシミリ装置の機械構成を示した図である。
【図４】本実施の形態に係る操作部の表示装置に表示される画面の例を示したも図である。
【符号の説明】
１　ＣＰＵ
２　ＲＯＭ
３　ＲＡＭ
４　操作部
５　画像記憶部
６　読み取り部
７　第１現像部
８　第２現像部
９　第３現像部
１０　第４現像部
１１　ファクシミリ制御部
【図１】
2004072192.tif 000003
【図２】
2004072192.tif 000004
【図３】
2004072192.tif 000005
【図４】
2004072192.tif 000006